(57)【特許請求の範囲】
【請求項１】
被取付部に取り付けられるＬＥＤランプ本体と、前記ＬＥＤランプ本体を覆う透光性カバーとを備えたＬＥＤ照明装置であって、
前記透光性カバーは中央にセンターキャップを有し、
前記ＬＥＤ照明装置を点灯又は消灯するためのプルスイッチと、
前記プルスイッチを操作する引き紐が、前記センターキャップに設けられ、
前記センターキャップは、前記透光性カバーを前記ＬＥＤランプ本体から取り外すことなく、指先による操作により前記透光性カバーに着脱できることを特徴とするＬＥＤ照明装置。
【請求項２】
請求項１に記載されたＬＥＤ照明装置であって、前記センターキャップは、前記センターキャップを回動させることにより、前記透光性カバーに着脱できることを特徴とするＬＥＤ照明装置。
【請求項３】
請求項２に記載されたＬＥＤ照明装置であって、前記センターキャップは、指先により前記センターキャップを回動させることができる回動操作部を有していることを特徴とするＬＥＤ照明装置。
【請求項４】
請求項１乃至請求項３のいずれかに記載されたＬＥＤ照明装置であって、リモートコントローラーからの信号を受信する受光部が前記センターキャップに設けられていることを特徴とするＬＥＤ照明装置。
【請求項５】
請求項１乃至請求項４のいずれかに記載されたＬＥＤ照明装置であって、前記センターキャップは、前記センターキャップを前記透光性カバーに取り付けるためのキャップ連結部を備え、前記引き紐は、前記キャップ連結部の近傍に配置されていることを特徴とするＬＥＤ照明装置。
【請求項６】
請求項１乃至請求項５のいずれかに記載されたＬＥＤ照明装置であって、前記センターキャップは、前記透光性カバーの頂上部に形成された開口部に嵌合するセンターキャップ受け部に取り付けられることにより前記透光性カバーの開口部を閉塞するように前記透光性カバーに装着されることを特徴とするＬＥＤ照明装置。
【請求項７】
請求項１乃至請求項６のいずれかに記載されたＬＥＤ照明装置であって、前記センターキャップは、前記引き紐の操作により変位して前記透光性カバーに着脱できることを特徴とするＬＥＤ照明装置。
【請求項８】
請求項１乃至請求項７のいずれかに記載されたＬＥＤ照明装置であって、前記センターキャップは、前記ＬＥＤランプ本体側の表面にスイッチの操作が可能な空間を形成するように段差が設けられていることを特徴とするＬＥＤ照明装置。
【発明の詳細な説明】
【技術分野】
【０００１】
本発明は、ＬＥＤ素子を光源に使用したＬＥＤ照明装置に係り、特に天井に設置された引掛シーリングボディに接続される天井直付け型シーリングライトにおいて、プルスイッチを用いたＬＥＤ照明装置の改良に関するものである。
【背景技術】
【０００２】
近年、環境意識の高まりから、省電力化に優れたＬＥＤ素子を光源に使用した、電源内蔵型の電球型ＬＥＤランプが普及してきた。特に、最近は、天井直付け型のシーリングライトや、天井から吊り下げられて室内を照らす吊下げ型照明機器においても、ＬＥＤ素子を使用した照明装置が開発され、市場に導入されてきている。
【０００３】
この天井直付けシーリングライトは、例えば、天井面に取り付けられた引掛シーリングボディに、引掛シーリングアダプタを取り付けた照明装置を装着したものであり、特に最近は厚みの薄いシーリングライトが検討されている（例えば、特許文献１等参照）。
【０００４】
この特許文献１に記載されている照明装置は、複数のＬＥＤ素子を光源とし、基板と基板表面に実装された複数のＬＥＤ素子を一体に覆う透光性カバー部材を有し、ＬＥＤ素子を覆う部分の形状を、ＬＥＤ素子を略中心とする半球形状とする。それによって、ＬＥＤ素子から放射された光束の取り出し効率の高い照明装置が提供される。
【０００５】
しかしながら、これらの特許文献１に記載されている照明装置においては、ＬＥＤ素子が透光性カバーとセードや、レンズとカバーで二重に覆う保護カバー構造であり、構成が複雑となり、また、その結果、製造に手間やコストを要する問題があった。
【０００６】
一方、プルスイッチを備えた照明装置としては、光源の点滅操作を行うプルスイッチと、その光源の点滅制御を行う人体検知センサとを備えた照明機器で、特に人体を確実に検知し、且つその所在を目立たないものとさせることも検討されている（例えば、特許文献２等参照）。
【０００７】
しかし、この特許文献２に記載されている照明装置においては、プルスイッチの引き紐の先端に人体検知センサを設けているため、照明装置のグローブカバーから垂下する穴が大きくなると共に、製造工程が複雑になる問題を伴っていた。加えて、この引き紐が、光源を有する装置本体に直接接続されているため、修理や保守等の際に、グローブカバー全体を装置本体から取り外す必要や、あるいは、装置本体自体を天井面から取り外す必要があり、また、交換作業にも、手間とコストを要する問題もあった。
【先行技術文献】
【特許文献】
【０００８】
【特許文献１】特開２０１３−２６５８８号公報
【特許文献２】特許第３８８２４２９号公報
【発明の概要】
【発明が解決しようとする課題】
【０００９】
本発明が解決しようとする課題は、上記の問題点に鑑み、蛍光灯照明装置と同様の使用感でありながら、明るく省エネ化を実現できると同時に、修理や保守等の手間とコストを低減することができるＬＥＤ照明装置を提供することにある。
【課題を解決するための手段】
【００１０】
本発明は、上記の課題を解決するための第１の手段として、被取付部に取り付けられるＬＥＤランプ本体と、このＬＥＤランプ本体を覆う透光性カバーとを備えたＬＥＤ照明装置であって、透光性カバーは中央にセンターキャップを有し、ＬＥＤ照明装置を点灯又は消灯するためのプルスイッチと、プルスイッチを操作する引き紐が、センターキャップに設けられ、このセンターキャップは、透光性カバーをＬＥＤランプ本体から取り外すことなく、指先による操作により透光性カバーに着脱できることを特徴とするＬＥＤ照明装置を提供するものである。
【００１１】
本発明は、上記の課題を解決するための第２の手段として、上記第１の解決手段において、センターキャップは、センターキャップを回動させることにより、透光性カバーに着脱できることを特徴とするＬＥＤ照明装置を提供するものである。
【００１２】
本発明は、上記の課題を解決するための第３の手段として、上記第２の解決手段において、センターキャップは、指先によりセンターキャップを回動させることができる回動操作部を有していることを特徴とするＬＥＤ照明装置を提供するものである。
【００１３】
本発明は、上記の課題を解決するための第４の手段として、上記第１乃至第３のいずれかの解決手段において、リモートコントローラーからの信号を受信する受光部が前記センターキャップに設けられていることを特徴とするＬＥＤ照明装置を提供するものである。
【００１４】
本発明は、上記の課題を解決するための第５の手段として、上記第１乃至第４のいずれかの解決手段において、センターキャップは、センターキャップを透光性カバーに取り付けるためのキャップ連結部を備え、引き紐は、このキャップ連結部の近傍に配置されていることを特徴とするＬＥＤ照明装置を提供するものである。
【００１５】
本発明は、上記の課題を解決するための第６の手段として、上記第１乃至第５のいずれかの解決手段において、センターキャップは、透光性カバーの頂上部に形成された開口部に嵌合するセンターキャップ受け部に取り付けられることにより透光性カバーの開口部を閉塞するように透光性カバーに装着されることを特徴とするＬＥＤ照明装置を提供するものである。
【００１６】
本発明は、上記の課題を解決するための第７の手段として、上記第１乃至第６のいずれかの解決手段において、センターキャップは、引き紐の操作により変位して透光性カバーに着脱できることを特徴とするＬＥＤ照明装置を提供するものである。
【００１７】
本発明は、上記の課題を解決するための第８の手段として、上記第１乃至第７のいずれかの解決手段において、センターキャップは、ＬＥＤランプ本体側の表面にスイッチの操作が可能な空間を形成するように段差が設けられていることを特徴とするＬＥＤ照明装置を提供するものである。
【発明の効果】
【００１８】
本発明によれば、上記のように、プルスイッチと引き紐が、透光性カバーの中央に設けられるセンターキャップに設けられているため、ＬＥＤにより明るく省エネ化を図りつつ、従来の蛍光灯照明装置と同様の使用感で使用することができる実益がある。
【００１９】
同時に、本発明によれば、上記のように、プルスイッチやリモートコントローラーからの信号を受信する受光部が、着脱自在なセンターキャップに設けられているため、不具合が発生したときに、透光性カバー全体やＬＥＤランプ本体を取り外すことなく、センターキャップのみを取り外して、修理、交換を簡単に行うことができる実益がある。
【００２０】
また、本発明によれば、上記のように、引き紐は、センターキャップを透光性カバーに取り付けるためのキャップ連結部の近傍に配置されているため、引き紐を引っ張った際に生ずるトルクを低減してキャップ連結部で受け止めることができ、センターキャップの変形を抑制することができると同時に引っ張りに対する強度が向上し、信頼性、耐久性を高めて、保守や修理の必要性を低減することができる実益がある。
【００２１】
更に、本発明によれば、上記のように、センターキャップは、引き紐の操作により変位して透光性カバーに着脱することができるため、取付や交換等のためにセンターキャップを回動等させる場合において、変位させるための把持部等の手掛かりのないセンターキャップであっても、変位のための動力を負荷することができると同時に、引き紐を保持しながらの操作であるため、作業中に誤ってセンターキャップを落下させることがなく、簡易に、かつ、適切にセンターキャップを着脱して、メンテナンスを行うことができる実益がある。
【００２２】
加えて、本発明によれば、上記のように、センターキャップは、ＬＥＤランプ本体側の表面にスイッチの操作が可能な空間を形成するように段差が設けられているため、スイッチを適切に操作して取付やメンテナンスに伴う各種設定を簡易に行うことができると共に、特に、床面側に受光面を、天井面側にスイッチを効率的に設置することができる実益がある。
【図面の簡単な説明】
【００２３】
【図１】本発明のＬＥＤ照明装置の被照射面側から見た取り付け前外観斜視図である。
【図２】本発明のＬＥＤ照明装置の垂直断面図である。
【図３】本発明のＬＥＤ照明装置の分解斜視図である。
【図４】本発明のＬＥＤ照明装置の透光性カバーを外した状態の上面図である。
【図５】本発明に用いられるセンターキャップの正面図である。
【図６】本発明に用いられるセンターキャップの平面図である。
【図７】本発明に用いられるセンターキャップの底面図である。
【図８】本発明に用いられるセンターキャップの縦断面図である。
【図９】本発明に用いられるセンターキャップ受け部の斜視図である。
【図１０】本発明に用いられるセンターキャップ受け部の断面図である。
【図１１】本発明のＬＥＤ照明装置の一部拡大縦断面図である。
【発明を実施するための形態】
【００２４】
以下に本発明の好適な実施の形態について、図面を参照しながら詳細に説明する。なお、本実施形態は一例であり、これに限定されるものではない。
【００２５】
図１乃至図３は、本発明のＬＥＤ照明装置１００の実施の形態の一つを示し、この本実施形態に係わるＬＥＤ照明装置１００は、図１乃至図３に示すように、天井面７等の被取付部に取り付けられるＬＥＤランプ本体１と、このＬＥＤランプ本体１を覆う透光性カバー３とを備えている。
【００２６】
このＬＥＤ照明装置１００は、特に図２に示すように、天井面７にあらかじめ設置されている被取付部であるロゼット９に、外部電源線と接続するための引掛シーリングボディ８を装着し、この引掛シーリングボディ８にＬＥＤランプ本体１を着脱自在に装着することにより、天井面７に設置される。この天井面７にＬＥＤ照明装置１００が装着されるときに、引掛シーリングボディ８と透光性カバー３を取り付けたＬＥＤランプ本体１の取付部１１とが接続され、ＬＥＤ照明装置１００はシーリングライトとして使用可能となる。なお、被取付部としてのロゼット９が天井面７に設けられていれば、天井面７に、新たに特別な補強を施すことなく、従前からある引掛シーリングボディ８をそのまま利用することができ、施工性良くＬＥＤ照明装置１００を取付けることができる。
【００２７】
（１．ＬＥＤランプ本体）
ＬＥＤランプ本体１は、ベース部材１０と、このベース部材１０を天井面７等の被取付部に取り付ける取付部１１と、この取付部１１よりも外周側においてベース部材１０に配設される点灯基板１３と、この点灯基板１３に電気的に接続されるＬＥＤ基板１５と、このＬＥＤ基板１５に実装されるＬＥＤ素子１６を有している。
【００２８】
（１．−１  ベース部材）
ベース部材１０は、冷間圧延鋼板（ＳＰＣＣ）等の金属材料を使用して、打抜加工、プレス加工、折曲加工等によって作成されて、表面が塗装される。このベース部材１０は、図２及び図３に示すように、円盤形状に形成される。なお、このベース部材１０の周縁部１０ａは、図２及び図３に示すように、ベース部材１０の中心部より前面側（天井面７に取り付けた場合の床面側）に位置するように環状に加工されている。
【００２９】
（１．−２  取付部）
この円盤状に形成されたベース部材１０は、その中心部に円形の開口が形成され、この開口内に、引っ掛けシーリングボディ８に押し込むことにより係止することができる取付部１１が形成されている。
【００３０】
（１．−３  取付延出部）
また、ＬＥＤランプ本体１には、図２及び図３に示すように、この取付部１１の開口の縁部から延びるようにして円筒状に形成された取付延出部１２が前面側に形成されている。ＬＥＤランプ本体１を被取付面に取り付ける際に、この取付延出部１２を把持することにより、作業性が高まる。この取付延出部１２は、前面側の端面で、後述する透光性カバー３の円形開口形状のセンターキャップ受け部５に嵌合された後、透光性カバー３のセンターキャップ４を回動により取付けることにより、取付部１１が外部より目視出来ないようにして、ＬＥＤ照明装置１００を形成する。
【００３１】
（１．−４  点灯基板）
また、ベース部材１０の中心部には、図２及び図３に示すように、取付延出部１２を取巻くように、片面に配線された紙フェノール基板（ＦＲ−１）から成る点灯基板１３が配設されている。この点灯基板１３の電子部品が搭載されていない裏面を、ベース部材１０に配設することにより、点灯基板１３から発生する熱をベース部材１０を通じて放熱することが可能となる。
【００３２】
また、この点灯基板１３を構成する電子部品としては、過電流保護、ノイズカット、整流、平滑、調光制御などを行うための各種ダイオード、コンデンサ、ＩＣ、抵抗などの公知の電子部品を使用することができる。
【００３３】
（１．−５  基板固定台）
本発明のＬＥＤ照明装置１００は、図２乃至図３及び図１１に示すように、ＬＥＤ基板１５を支持する基板固定台１４を更に有している。この基板固定台１４は、図２乃至図３及び図１１に示すように、ベース部材１０の周縁部１０ａから中心部に向かって前面側（ＬＥＤランプ本体１を天井面７に取り付けた場合の床面側）に向けて傾斜して形成されている。
【００３４】
図示の実施の形態では、複数の基板固定台１４がベース部材１０の周縁部１０ａから中心部に向かって前面側に傾斜するようにしてベース部材１０に配設され、図３に示すように、全体として、環状となるように配列されている。
【００３５】
これらの基板固定台１４は、平面的に見た場合に、ベース部材１０の中心部に近づくに連れ、幅が狭くなる略台形状に形成され、その略台形状の上底と下底に傾斜を付けるために裏側に凸部が設けられている。下底の端部である２箇所と、下底中央部から上底方向に設けられた凸部先端の１箇所の、合計の３箇所でベース部材１０に固定されている。３箇所で固定することにより片側支持を避けることが出来、振動等に対する固定強度を向上させることが出来る。
【００３６】
また、この基板固定台１４は、取付けられるＬＥＤ基板１５の発熱をベース部材１０側に伝えないように、断熱性を有する樹脂材料を使用して、射出加工等によって作成される。基板固定台１４は、強度を妨げない程度に、中心部に貫通穴を設けて、軽量化、対流によるＬＥＤ基板１５の放熱を促進している。なお、図示の実施の形態では、図３に示すように、複数の基板固定台１４を組み合わせて、環状の構造としたが、ＬＥＤ基板１５が取付けられる構造であれば、一体の基板固定台１４として組み立て工数の削減を図ることもできる。
【００３７】
（１．−６  ＬＥＤ基板）
ＬＥＤ基板１５は、図４及び図１１に示すように、この基板固定台１４上に取り付けられてベース部材１０上に固定される。また、このＬＥＤ基板１５は、図３に示すように、基板固定台１５に対応した略台形状の形状に形成され、複数の基板固定台１４上に設置されることにより、基板固定台１４と同様に環状に配置される。
【００３８】
このＬＥＤ基板１５には、図４に示すように、ＬＥＤ素子１６が、ベース部材１０の垂直方向の中心軸を中心とした複数の円周上に配置され、一つの円周上のＬＥＤ素子１６が他の円周上のＬＥＤ素子１６と、ベース部材１０の中心軸からの放射方向における位置をずらして千鳥状の関係を構成するように配置されている。これにより、ＬＥＤ基板１５は、透光性カバー３の全面が均一な明るさになる構成で、基板固定台１４に固定されている。
【００３９】
また、このＬＥＤ基板１５は、円環形状の平板で、片面に配線されたガラスコンポジット基板（ＣＥＨ−３）から成り、片面側にＬＥＤ素子１６と電子部品とが実装されている。ＬＥＤ素子１６の搭載面側に、高反射シートを貼合することや、高反射用樹脂を塗布することにより、光取り出し効率を改善することができる。
【００４０】
さらに、基板固定台１４に取り付けられたＬＥＤ基板１５は、図１１に示すように、ベース部材１０の周縁部１０ａよりベース部材１０の中心部側において、部分的に点灯基板１３と直交する方向において位置するようにベース部材に配設されている。即ち、ＬＥＤランプ本体１の高さ方向において、ＬＥＤ基板１５の一部が、点灯装置１３と重畳して、ＬＥＤランプ本体１０を天井面７に取り付けた状態において点灯装置１３の下方に位置している。これにより、基板固定第１４により充分な放熱効果を確保しつつ、省スペース化を図ることができる。即ち、ＬＥＤ基板１５の全体を点灯装置１３の外側に配置させなくても、放熱することができるため、省スペース化を図ることができる。
【００４１】
なお、この場合、このＬＥＤ基板１５には、図４に示すように、点灯基板１３に搭載されている高背の電子部品、例えばコンデンサ１９、トランス等を避けるように、切り欠き１８が形成されている。これにより、ベース部材１０の周縁部１０ａから中心部に向かって前面側に傾斜するように配設されているＬＥＤ基板１５の傾斜角を小さくすることが出来、広く均一に照らせる省スペース化のＬＥＤ照明装置が実現できる。
【００４２】
また、ＬＥＤ基板１５に切り欠き１８を設けることで、ＬＥＤ照明装置１００におけるＬＥＤ基板１５の面積を大きくでき、ＬＥＤ基板１５によるＬＥＤ素子出射光の反射面積を増やすことができる。これにより、ＬＥＤ素子出射光の反射効率が上がって、ＬＥＤ照明装置１００の効率が上がる。
【００４３】
図示の実施の形態では、図４に示すように、全てのＬＥＤ基板１５に同様な切り欠き１８を形成している。事前に点灯基板１３の電子部品の配置をＬＥＤ基板１５の切り欠き１８に合わせて検討することにより、ＬＥＤ基板１５の切り欠き位置を統一したＬＥＤ基板１５とすることができ、基板の種類を減少させてコストの削減に貢献することができる。
【００４４】
このＬＥＤ基板１５は、図４に示すように、ケーブルを介して点灯基板１３に電気的に接続され、このケーブルは、ＬＥＤ基板１５に配設されたケーブル用接続端子２１に接続される。このケーブル用接続端子２１は、図４に示すように、複数のＬＥＤ基板１５のうち、任意のＬＥＤ基板１５に配設されて、ケーブルに接続される。この場合、さらに、図４に示すように、このケーブル用接続端子２１が配設されたＬＥＤ基板１５から、他の複数のＬＥＤ基板同士を接続線１７で接続することにより、電気的に接続された環状のＬＥＤ基板１５を構成している。
【００４５】
この場合、点灯基板１３とＬＥＤ基板１５を接続するケーブルは、取付部の外縁部である取付延出部１２に形成されたケーブル固定部材２０を介して配線される。ケーブル固定部材２０を用いることにより、ケーブルの長さ調整が行いやすく、断線防止が可能となり、組み立て工数の削減や信頼性向上が可能となる。
【００４６】
なお、図示の実施の形態では、基板固定台１４にＬＥＤ基板１５を固定して傾斜させる構成としているが、必ずしも、これに限定されるものではなく、ＬＥＤ基板１５自体にＬＥＤ基板１５をベース部材１０の周縁部１０ａから中心部に向かって前面側に傾斜するような補助部材を加えて、ＬＥＤ基板１５を直接ベース部材１０に固定するような構造とすることもできる。
【００４７】
（１．−７  ＬＥＤ素子）
なお、このＬＥＤ基板１５に実装されるＬＥＤ素子１６としては、公知の種々のＬＥＤを用いることができる。図示の実施の形態では、照明用の白色光を発光する高輝度タイプのＬＥＤ素子が用いられている。
【００４８】
（１．−８  ＬＥＤランプ本体の組付）
上述したＬＥＤランプ本体１を構成するベース部材１０、点灯基板１３、基板固定台１４、ＬＥＤ基板１５の相互の位置関係について、図１１を参照しながら説明する。まず、図１１に示すように、ベース部材１０の周縁部１０ａと取付延出部１２の間に、点灯基板１３と、基板固定台１４、ＬＥＤ基板１５が配設されている。基板固定台１４は、ベース部材１０の周縁部１０ａより高さ（ｈ）分だけ背面側（ＬＥＤランプ本体１を天井面４に取り付けた場合における天井面側）に位置している中心部側に、ベース部材１０の周縁部１０ａから中心部に向かって前面側に傾斜するように配設されている。この場合、基板固定台１４を、ベース部材１０の周縁部１０ａより内周側に配設することにより、透光性カバー３とＬＥＤ基板１５の端部との距離を長く設定することが可能となる。これにより、特に透光性カバー３に光拡散面が形成されている場合は、ＬＥＤ素子１６の出射光位置が判断できない程度に、広い範囲を均一に照らすことが可能となる。
【００４９】
また、ＬＥＤ基板１５は、図１１に示すように、基板固定台１４に固定されて、ベース部材１０の周縁部１０ａから中心部に向かって前面側に傾斜するように配設されている。また、このＬＥＤ基板１５の一部は、図１１に示すように、ＬＥＤランプ本体１の高さ方向において、点灯装置１３と重畳して、ＬＥＤランプ本体１０を天井面４に取り付けた状態において点灯装置１３の下方に位置している。この位置関係により、ＬＥＤ照明装置１００全体の全幅（直径）を小さくして省スペース化を実現しつつ、ＬＥＤ素子１６からの発光を広く均一に照らすことができる。
【００５０】
（１．−９  常夜灯）
なお、図４に示すように、ＬＥＤ基板１５の適宜の位置に常夜灯２２を配設することにより、透光性カバー３に影が出にくく全体をやさしく照らす常夜灯とすることが可能となる。また、常夜灯２２は、基板固定台１４のＬＥＤ基板１５が固定されていない適宜の位置に配設することもできる。
【００５１】
（２．透光性カバー）
一方、透光性カバー３は、図１乃至図３に示すように、ポリプロピレン（ＰＰ）等の熱可塑性プラスチックを使用して、頂上部に円形の開口部を有する円形のドーム形状に成型されている。この透光性カバー３は、特に図２及び図１１に示すように、ＬＥＤランプ本体１を密閉するようにＬＥＤランプ本体１に取り付けられている。具体的には、特に図２及び図１１に示すように透光性カバー３の周縁部と、ベース部材１０の周縁部１０ａは、端部同士に隙間が出ないように周縁カバー６により固定されている。
【００５２】
これにより、後述するセンターキャップ４と併せて、ベース部材１０と透光性カバー３の間が密閉されて、ＬＥＤ照明装置１００の設置時におけるＬＥＤ素子１６の保護ができ、従来のように、別にＬＥＤ素子１６を保護するカバーを設ける必要がなくなる。透光性カバー３が、ＬＥＤ素子１６を保護するカバーの機能を併せ持つので、コストを低減することが可能になる。さらに、ベース部材１０と透光性カバー３の間が密閉されているので、ＬＥＤ照明装置１００内に粉塵や虫等が侵入するのを防ぐ効果も併せて生じさせることができる。
【００５３】
この透光性カバー３は、図１乃至図３及び図１１に示すように、透光性カバー３を連続した曲面形状にすることや、透光性カバー３に高密度となる光拡散面を形成するシボ加工を施したり、材料に拡散剤を含有させたりして、さらに全面で均一に照射することができる。
【００５４】
この透光性カバー３は、図１乃至図３及び図５乃至図１１に示すように、中央にセンターキャップ４を有する。本発明においては、特に図５乃至図１０に示すように、ＬＥＤ照明装置１００を点灯又は消灯するためのプルスイッチ部４３と、リモートコントローラーからの信号を受信する受光部４４が、このセンターキャップ４に設けられている。
【００５５】
（２．−１  センターキャップ）
このセンターキャップ４は、図５乃至図８に示すように、センターキャップ表カバー４１と、このセンターキャップ表カバー４１に嵌合するセンターキャップ裏カバー４２とから成り、これらのセンターキャップ表カバー４１とセンターキャップ裏カバー４２との間の空間にプルスイッチ部４３及び受光部４４が保持されている。
【００５６】
このセンターキャップ４は、図５乃至図１１に示すように、透光性カバー３に着脱自在に取り付けられている。具体的には、センターキャップ４は、特に図５及び図７に示すように、ＬＥＤランプ本体１側へ向けて突出するキャップ連結部４１ｃを有し、一方、図１１に示すように、透光性カバー３の開口部と取付延出部１２とに跨ってセンターキャップ受け部５が嵌合される。このセンターキャップ受け部５により、ＬＥＤランプ本体１の取付延出部１２と透光性カバー３とが隙間がないように固定されると共に、このセンターキャップ受け部５のだるま穴形状の受け孔５１ａに、センターキャップ４のキャップ連結部４１ｃを挿入した後、細径側へ回動させることにより、センターキャップ４が、透光性カバー３の開口部を閉塞するように透光性カバー３に装着される。逆に、センターキャップ４を太径側へ回動させることにより、透光性カバー３から取り外すことができる。
【００５７】
このように、センターキャップ４のみを着脱することができるため、センターキャップ４に搭載されたプルスイッチ部４３や受光部４４に不具合が発生したときに、透光性カバー３全体やＬＥＤランプ本体１を取り外すことなく、センターキャップ４のみを取り外して、修理、交換を簡単に行うことができる。なお、センターキャップ４を回動させるときには、センターキャップ４のセンターキャップ表カバー４１に複数設けられた凸形状の回動操作部４１ｄに、指先を接することにより、簡単に回動させることが可能となる。これにより、変位させるための把持部等の手掛かりのないセンターキャップ４を、透光性カバー３に容易に着脱することができる。なお、今回は回動操作部４１ｄを凸形状としたが、凹形状等の指先により回動させることが可能な形状であればかまわない。
【００５８】
（２．−２  プルスイッチ部）
また、プルスイッチ部４３は、特に図８に示すように、センターキャップ４内に配置されＬＥＤ照明装置１００を点灯又は消灯するためのプルスイッチ４３ａと、このプルスイッチ４３ａに接続されてプルスイッチ４３ａを操作する引き紐４５とから成っている。この引き紐４５は、図６に示すように、センターキャップ４の上面側（ＬＥＤランプ本体１を天井面７に取付けた場合の床面側）から、センターキャップ４のセンターキャップ表カバー４１に設けられたプルスイッチ孔４１ａを通して外部に出されて、使用者に操作される。このプルスイッチ４３ａを操作する毎に、蛍光灯照明装置と同様に、点灯−半灯−常夜灯―消灯の動作が繰り返される。
【００５９】
この場合、この引き紐４５は、図１乃至図３及び図５、図８に示すように、ＬＥＤ照明装置１００の中心近傍に配置されている。即ち、透光性カバー３の中央に設けられるセンターキャップ４に設けられることにより、ＬＥＤ照明装置１００の中心付近に配置される。このため、ＬＥＤ素子１６により明るく省エネ化を図りつつ、従来の蛍光灯照明装置と同様の使用感で使用することができる。より具体的には、引き紐４５は、センターキャップ４のキャップ連結部４１ｃの近傍に配置されている。このため、引き紐４５を引っ張った際に生ずるトルクを低減してキャップ連結部４１ｃで受け止めることができ、センターキャップ４の変形を抑制することができると同時に引っ張りに対する強度が向上し、信頼性、耐久性を高めて、保守や修理の必要性を低減することができる。即ち、図示の実施の形態においては、引き紐４５に力が加えられた場合に、力がセンターキャップ４からキャップ連結部４１ｃ、センターキャップ受け部５、取付延出部１２、取付部１１、引掛シーリングボディ８、ロゼット９と直接に、また、比較的直線的に伝わるので、変形が少ないと共に引っ張りに対する強度が向上する。
【００６０】
同時に、センターキャップ４は、この引き紐４５の操作により変位して、透光性カバー３に着脱することができる。即ち、この引き紐４５は、センターキャップ４に設けられているが故に、センターキャップ４の着脱にも使用することができ、回動操作部４１ｄと相俟って、引き紐４５を保持したまま、センターキャップ４を回動させることにより、キャップ連結部４１ｃの、だるま穴形状の受け孔５１ａへの係止及びその解除を行うことができる。これにより、取付や交換等のためにセンターキャップ４を回動等させる場合において、変位させるための把持部等の手掛かりのないセンターキャップ４であっても、変位のための動力を負荷することができると同時に、引き紐４５を保持しながらの操作であるため、作業中に誤ってセンターキャップ４を落下させて破損させることがなく、簡易に、かつ、適切にセンターキャップ４を着脱して、メンテナンスを行うことができる。
【００６１】
（２．−３  受光部）
一方、受光部４４は、操作用のリモートコントローラ（以下リモコンと略す）から出されるＬＥＤ照明装置１００を操作する信号を、センターキャップ表カバー４１の受光孔４１ｂを通して、受光基板４４ａに設置されている受光素子４４ｂで受光する。信号は、受光基板４４ａに搭載されている電子部品４４ｄで判定され、点灯基板１３に信号線４１ｅとコネクタ４１ｆにより信号を送り、ＬＥＤ照明装置１００を操作する。なお、プルスイッチ４３ａの操作信号も、点灯基板１３に信号線４１ｅとコネクタ４１ｆにより信号が送られ、ＬＥＤ照明装置１００が操作される。
【００６２】
また、受光基板４４ａには、リモコンからの信号を受光するチャンネルを切換えるためのチャンネルスイッチ４４ｃも搭載されており、センターキャップ４の下面側（ＬＥＤランプ本体１側）で切換えることが可能となっている。このチャンネル切替は、例えば同じ部屋において同じ周波数を使用するリモコンがある場合に、他のリモコンの操作による誤動作を防ぐために設けられている。
【００６３】
この場合、本発明においては、特に、図５及び図８に示すように、センターキャップ４は、ＬＥＤランプ本体１側の表面に、このチャンネルスイッチ４４ｃの操作が可能な空間を形成するように段差が設けられている。具体的には、図５及び図８に示すように、受光基板４４ａに搭載されたチャンネルスイッチ４４ｃをチャンネルスイッチ孔４２ａより直接操作できるように、センターキャップ４の下面側（ＬＥＤランプ本体１側）のセンターキャップ裏カバー４２は、受光部４４部分が低く、プルスイッチ部４３が高い、段差構造となっている。
【００６４】
このように、プルスイッチ部４３と受光部４４が設けられているセンターキャップ４の裏側が段差構造とされているため、１つの受光基板４４ａの上面（床面側）に受光部４４を、下面（天井面７側）にリモートコントローラーのチャンネル切換え用のチャンネルスイッチ４４ｃを設け、受光部４４をセンターキャップ４の上面から受光できるようにし、チャンネルスイッチ４４ｃをセンターキャップ４の下面（天井面７側）から突出させることにより操作可能としているため、簡易な構造とすることができ、手間とコストを要することなく、製造することができると共に、チャンネルスイッチ４４ｃを適切に操作して取付やメンテナンスに伴う各種設定を簡易に行うことができる。
【００６５】
（４．その他）
以上のように、本実施形態では、センターキャップ４に、引き紐４５が設けられている。これらによってＬＥＤ照明装置１００は、蛍光灯照明装置と同様の使用感でありながら、明るく省エネ化を実現でき、良好な意匠性を示すことができる。なお、本実施形態ではベース部材１０の形状を円盤形にしたが、必ずしもこれに限定されるものではなく、断面が４角形等からなる扁平な多角柱であってもよい。
【００６６】
以上、この発明の実施の形態を説明したが、この発明は、これらの実施の形態に限られるものではなく、この発明の要旨を逸脱しない範囲の設計変更があっても本発明に含まれる。すなわち、当業者であれば、当然なし得る各種変形、修正もまた本発明に含まれる。
【産業上の利用可能性】
【００６７】
本発明は、リビングや和室、更に、寝室や子供部屋等の各居室や廊下、玄関等の天井面や壁面等に沿って設置されるＬＥＤ照明装置として、広く適用することができる。
【符号の説明】
【００６８】
１：ＬＥＤランプ本体
１０：ベース部材
１０ａ：周縁部
１１：取付部
１２：取付延出部
１３：点灯基板
１４：基板固定台
１５：ＬＥＤ基板
１６：ＬＥＤ素子
１７：接続線
１８：切り欠き
１９：コンデンサ
２０：ケーブル固定部材
２１：ケーブル用接続端子
２２：常夜灯
３：透光性カバー
４：センターキャップ
４１：センターキャップ表カバー
４１ａ：プルスイッチ孔
４１ｂ：受光孔
４１ｃ：キャップ連結部
４１ｄ：回動操作部
４１ｅ：信号線
４１ｆ：コネクタ
４２：センターキャップ裏カバー
４２ａ：チャンネルスイッチ孔
４３：プルスイッチ部
４３ａ：プルスイッチ
４４：受光部
４４ａ：受光基板
４４ｂ：受光素子
４４ｃ：チャンネルスイッチ
４４ｄ：電子部品
４５：引き紐
５：センターキャップ受け部
５１ａ：受け孔
６：周縁カバー
７： 天井面
８： 引掛シーリングボディ
９：ロゼット
１００：ＬＥＤ照
【要約】
【課題】  蛍光灯照明装置と同様の使用感でありながら、明るく省エネ化を実現できると同時に、修理や保守等の手間とコストを低減することができる。
【解決手段】  ＬＥＤ照明装置は、天井等の被取付部に取り付けられるＬＥＤランプ本体と、このＬＥＤランプ本体を覆う透光性カバーとを備えている。この透光性カバーは中央にセンターキャップ４を有し、ＬＥＤ照明装置を点灯又は消灯するためのプルスイッチ４３ａと、このプルスイッチ４３ａを操作する引き紐４５は、センターキャップ４に設けられている。センターキャップ４は、透光性カバーに着脱自在に取り付けられている。
【選択図】  図８【図１】
0005566513.tif 000002
【図２】
0005566513.tif 000003
【図３】
0005566513.tif 000004
【図４】
0005566513.tif 000005
【図５】
0005566513.tif 000006
【図６】
0005566513.tif 000007
【図７】
0005566513.tif 000008
【図８】
0005566513.tif 000009
【図９】
0005566513.tif 000010
【図１０】
0005566513.tif 000011
【図１１】
0005566513.tif 000012